(57)【要約】【課題】手すりに簡易に取り付け・取り外すことができ、且つ、手すりに取り付けたままで上下方向の位置を簡易に調整できる使い勝手のよい水準器を提供する。【解決手段】水準器本体２のポール１１対向面側には、ポール１１に向かって開口する凹部４が設けられ、凹部４には、水準器本体２をポール１１に取り付けた状態でポール１１の外周面に接触する接触面４ｂが設けられる。凹部４の背面側には、互いに直交する２つの直交面部５が設けられる。直交面部５の各々には、２つの気泡管３がそれぞれ取り付けられる取付穴が設けられる。凹部４の開口４ａ側両端部には、各突出端６ａが凹部４の接触面４ｂからポールの中心Ｃを越えた位置まで延出し、且つ、両突出端６ａの間隔Ｓがポール１１の直径Ｄよりも短く設定され、水準器本体２をポール１１に取り付けた状態でポール１１の外周面に圧接する一対の可撓性係合片６が突設される。【選択図】図３
0003171229.tif 000002
【実用新案登録請求の範囲】
【請求項１】
互いに長手方向にスライド可能な２本の円形ポールと、該両ポールを固定して全長寸法を所定長さに設定する固定具とを備え、上下方向に向けた上記両ポールで天井と床面とを突っ張った状態で天井と床面との間に取り付けられる突っ張り型手すりが、天井と床面との間に垂直に取り付けられているか否かを調べる突っ張り型手すり用水準器であって、
上記ポールを掴むように着脱可能に取り付けられる水準器本体と、
該水準器本体に取り付けられた２つの気泡管とを備え、
上記水準器本体は、上記ポールの対向面側に設けられ、該ポールに向かって開口し、且つ、ポール外周面に対応して湾曲し上記水準器本体をポールに取り付けた状態でポール外周面に接触する接触面を有する凹部と、
該凹部の背面側に設けられ、互いに直交する２つの直交面部と、
該直交面部の各々に形成され、上記各気泡管がそれぞれ取り付けられる取付穴と、
上記凹部の上記開口側両端部にそれぞれ突設され、各突出端が上記凹部の接触面から上記ポールの中心を越えた位置まで延出し、且つ、両突出端の間隔が上記ポールの直径よりも短く設定され、上記水準器本体をポールに取り付けた状態でポール外周面に圧接する一対の可撓性係合片とを備えていることを特徴とする突っ張り型手すり用水準器。
【請求項２】
請求項１に記載の突っ張り型手すり用水準器であって、
上記各気泡管は、横方向に長い円筒体の内部に気泡を有するように液体が密封されて構成され、上記直交面部から側方に膨出するように上記取付穴に取り付けられていることを特徴とする突っ張り型手すり用水準器。
【請求項３】
請求項１又は２に記載の突っ張り型手すり用水準器であって、
上記２つの気泡管は、上記水準器本体をポールに取り付けた状態で略同じ高さに位置していることを特徴とする突っ張り型手すり用水準器。
【考案の詳細な説明】
【技術分野】
【０００１】
本考案は、突っ張り型手すりを天井と床面との間に取り付ける際に、当該手すりが垂直に取り付けられているか否かを調べる水準器に関する。
【背景技術】
【０００２】
従来より、例えば、特許文献１に開示されているように、使用者が立ち上がったり座ったりする際に使用者の支えとして使用する突っ張り型手すりが知られている。該手すりは、互いに長手方向にスライド可能な２本のポールと、該両ポールを固定して全長寸法を所定長さに設定する固定具とを備え、上下方向に向けた両ポールで天井と床面とを突っ張った状態で天井と床面との間に取り付けられるようになっている。
【０００３】
ところで、特許文献１の如き手すりは、天井と床面との間に傾いた状態で取り付けられたり、或いは使用を繰り返すことにより位置ずれして天井と床面との間で傾いてしまうと、天井と手すりとの間、又は床面と手すりとの間で摩擦抵抗が小さくなり、使用者が手すりにもたれ掛かった際に、不意に外れてしまうおそれがある。
【０００４】
そのため、作業者が上記手すりを天井と床面との間に取り付ける際、又は、取り付けた後に周期的に点検する際、水準器を用いて、上記手すりが天井と床面との間に垂直に取り付けられているか否かを調べる必要がある。
【０００５】
このような水準器として、例えば、特許文献２に開示されているように、平面視で略Ｌ字状の断面をなす上下方向に延びる水準器本体と、該水準器本体の直交する２つの外側面のそれぞれに取り付けられた２つの気泡管と、上記水準器本体の各側端縁に各端部がそれぞれに取り付け・取り外し可能な固定バンドとを備えた水準器が知られている。
【０００６】
そして、この水準器を用いて手すりの傾きを調べるには、上記水準器本体の略直角をなす２つの内側面をポールに接触させて固定バンドで水準器本体をポールに固定し、側方から水準器の２つの気泡管をそれぞれ見て手すりが傾いているか否かを調査するようにしている。
【先行技術文献】
【特許文献】
【０００７】
【特許文献１】特開２００８−７５３８３号公報（段落００２４〜００２６欄、図１）
【特許文献２】実開昭６１−１２０１１号公報（第４，５頁、図１）
【考案の概要】
【考案が解決しようとする課題】
【０００８】
しかし、特許文献２では、当該水準器をポールに固定する際、固定バンドの一端を水準器本体から取り外し、ポールに水準器本体の内側面を接触させた状態で上記固定バンドをポールに巻き掛けて一端を水準器本体に取り付けるといった作業を行う必要があり、作業が煩雑である。
【０００９】
また、固定バンドをポールに巻き掛けて水準器本体を固定しているので、ポールの周方向において固定バンドとポールとの間の接触する部分が多く、ポールに固定した水準器本体を作業者が作業中に目線に合わせるために上下方向にスライドさせようとしても、固定バンドとポール外周面との間の摩擦抵抗が高くて固定バンドが水準器本体と一体にスライドし難い。したがって、作業者が作業中に水準器の位置を変えるには、上述の手順にて再度ポールの適切な位置に水準器を取り付けるといった作業が必要となり、使い勝手が悪い。
【００１０】
本考案は、斯かる点に鑑みてなされたものであり、その目的とするところは、手すりに簡易に取り付け・取り外すことができ、且つ、手すりに取り付けたままで上下方向の位置を簡易に調整できる使い勝手のよい水準器を提供することにある。
【課題を解決するための手段】
【００１１】
上記の目的を達成するために、本考案は、一対の可撓性係合片でポールを挟み込むことにより水準器を手すりに取り付けるようにしたことを特徴とする。
【００１２】
具体的には、互いに長手方向にスライド可能な２本の円形ポールと、該両ポールを固定して全長寸法を所定長さに設定する固定具とを備え、上下方向に向けた上記両ポールで天井と床面とを突っ張った状態で天井と床面との間に取り付けられる突っ張り型手すりが、天井と床面との間に垂直に取り付けられているか否かを調べる突っ張り型手すり用水準器において、次のような解決手段を講じた。
【００１３】
すなわち、第１の考案では、上記ポールを掴むように着脱可能に取り付けられる水準器本体と、該水準器本体に取り付けられた２つの気泡管とを備え、上記水準器本体は、上記ポールの対向面側に設けられ、該ポールに向かって開口し、且つ、ポール外周面に対応して湾曲し上記水準器本体をポールに取り付けた状態でポール外周面に接触する接触面を有する凹部と、該凹部の背面側に設けられ、互いに直交する２つの直交面部と、該直交面部の各々に形成され、上記各気泡管がそれぞれ取り付けられる取付穴と、上記凹部の上記開口側両端部にそれぞれ突設され、各突出端が上記凹部の接触面から上記ポールの中心を越えた位置まで延出し、且つ、両突出端の間隔が上記ポールの直径よりも短く設定され、上記水準器本体をポールに取り付けた状態でポール外周面に圧接する一対の可撓性係合片とを備えていることを特徴とする。
【００１４】
第２の考案では、第１の考案において、上記各気泡管は、横方向に長い円筒体の内部に気泡を有するように液体が密封されて構成され、上記直交面部から側方に膨出するように上記取付穴に取り付けられていることを特徴とする。
【００１５】
第３の考案では、第１又は第２の考案において、上記２つの気泡管は、上記水準器本体をポールに取り付けた状態で略同じ高さに位置していることを特徴とする。
【考案の効果】
【００１６】
第１の考案では、水準器本体の凹部の開口を手すりのポールに対応させて水準器をポール側に押し込むと、各係合片がポール外周面に摺接しつつ互いに離れる方向に撓み変形し、各係合片の突出端がポール中心を越えるまで押し込まれると、互いに接近する方向に復元してポール外周面を圧接するようになる。したがって、ポールに向かって押し込むだけで水準器を手すりに簡易に取り付けることができ、しかも各係合片でポールを圧接して挟み込んでいるので、水準器のポールへの取り付けを安定させることができる。一方、手すりに取り付けられた水準器を引っ張ると、各係合片がポール外周面に摺接しつつ互いに離れる方向に撓み変形し、各係合片の突出端がポール中心を越えると、互いに接近する方向に撓み変形して元の状態に復元するとともに、上記ポールが上記凹部の開口から抜け出る。したがって、ポールに取り付けられた水準器を引っ張るだけで当該水準器を簡単にポールから取り外すことができる。また、水準器をポールに取り付けた状態で、水準器をポールに対して上下方向にスライドさせると、各係合片が互いに開き気味に撓んで各係合片とポール外周面との間の摩擦抵抗が減り、目的の位置まで水準器をスライドさせると、各係合片でポールを圧接して挟み込むので、水準器を目的の高さまで簡易にスライドさせることができ、且つ、スライドさせた箇所において水準器の取り付けを安定させることができ、使い勝手がよい。
【００１７】
第２の考案では、気泡管が直交面部から膨出しているので、作業者は、気泡管の気泡を真横からだけでなく、斜め上側からや斜め下側からも見ることができ、使い勝手がよい。
【００１８】
第３の考案では、目線の高さを変えることなく２つの気泡管を同時に見ることができ、使い勝手がさらによくなる。
【図面の簡単な説明】
【００１９】
【図１】本考案の実施形態に係る水準器が取り付けられた突っ張り型手すりの正面図である。
【図２】本考案の実施形態に係る水準器の斜視図である。
【図３】本考案の実施形態に係る水準器の平面図であり、（ａ）は、水準器を手すりに取り付ける直前の状態を、（ｂ）は、水準器を手すりに取り付けた直後の状態を示す。
【図４】本考案の実施形態に係る水準器を手すりに取り付けた状態を示す拡大正面図である。
【図５】本考案の実施形態に係る水準器を手すりに取り付けて固定具と共に樹脂製カバーで覆った状態を示す拡大正面図である。
【考案を実施するための形態】
【００２０】
以下、本考案の実施形態を図面に基づいて詳細に説明する。尚、以下の好ましい実施形態の説明は、本質的に例示に過ぎない。
【００２１】
図１は、本考案の実施形態に係る水準器１が取り付けられた突っ張り型手すり１０を示す。該手すり１０は、天井Ｃｅと床面Ｆとの間に垂直に取り付けて主に高齢者や介護者といった使用者が離床等する際の支えとして使用するものであり、互いに長手方向にスライド可能な２本の円形ポール１１（以下、上側に位置するものを第１ポール１１ａと、下側に位置するものを第２ポール１１ｂと呼ぶ）と、該両ポール１１を固定して全長寸法を所定長さに設定する固定具１２とを備えている。
【００２２】
上記第１ポール１１ａは上記第２ポール１１ｂに上方から内嵌合し、上記第１ポール１１ａの上端には、当該第１ポール１１ａの径方向両側に延びる略長方形状の天井接触板１３が設けられる一方、上記第２ポール１１ｂの下端には、当該第２ポール１１ｂの径方向外側に延びる略円状の床面接触板１４が設けられている。
【００２３】
そして、上記第２ポール１１ｂの長手方向中途部には、正面視で略Ｕ字状の把持部材１５が上下方向にスライド可能に取り付けられている。
【００２４】
上記固定具１２は、図４にも示すように、第１ポール１１ａ下端側にスライド可能に外挿された第１リング部材１９と、第２ポール１１ｂの上端に外嵌合して固定された第２リング部材２０とを備えている。
【００２５】
上記第１リング部材１９には、操作レバー１６が上下に回動可能に軸支され、該操作レバー１６を下方に回動させると、当該操作レバー１６は、第１リング部材１９を撓ませて縮径させるとともに、上記第１ポール１１ａの上部内方に取り付けられたバネ（図示せず）を圧縮させながら第１リング部材１９を第２リング部材２０から上方に離間させるようになっている。
【００２６】
また、上記第１リング部材１９及び第２リング部材２０の間には、連結バー１７が設けられ、当該連結バー１７により、上記第１リング部材１９が、上記第２リング部材２０に対して捩れることなく上方に離間するようになっている。
【００２７】
そして、第１ポール１１ａを第２ポール１１ｂに対して上方にスライドさせて床面接触板１４及び天井接触板１３を床面Ｆ及び天井Ｃｅにそれぞれ接触させた状態で、上記操作レバー１６を下方に回動させると、縮径する第１リング部材１９が第１ポール１１ａを挟み込むとともに、挟み込んだ第１ポール１１ａと共に第２リング部材２０から上方に離間して上記天井接触板１３が天井Ｃｅに圧接するようになっていて、これにより、２本のポール１１で天井Ｃｅと床面Ｆとを突っ張った状態で天井Ｃｅと床面Ｆとの間に取り付けられるようになっている。
【００２８】
また、上記手すり１０を使用する際には、上記水準器１及び固定具１２は、図示しないファスナーで開閉する樹脂製カバー１８で覆われるようになっていて（図４及び図５参照）、周期的に樹脂製カバー１８を開くことにより、上記手すり１０の傾きを調べることができるようになっている。
【００２９】
上記水準器１は、図２及び図３に示すように、上記ポール１１を掴むように着脱可能に取り付けられる平面視で略Ｌ字状の樹脂製水準器本体２と、該水準器本体２に取り付けられた２つの気泡管３とを備えている。
【００３０】
上記水準器本体２におけるポール１１の対向面側には、ポール１１に向かって開口する開口４ａを有する凹部４が形成され、該凹部４は、ポール１１の外周面に対応して湾曲する接触面４ｂを有していて、該接触面４ｂは、上記水準器本体２を上記ポール１１に取り付けた状態でポール１１の外周面に接触するようになっている。
【００３１】
上記凹部４の背面側には、互いに直交する２つの直交面部５が設けられ、該各直交面部５は、側面視で略正方形状をなしている。
【００３２】
該直交面部５の上半部分には、水平方向に延びる横長矩形の取付穴５ａが凹陥形成され、該取付穴５ａに上記気泡管３が取り付けられるようになっている。尚、上記水準器本体２の上面２ａが基準面となっていて、上記取付穴５ａは、上面２ａに対して平行となるように形成されている。
【００３３】
上記凹部４における上記開口４ａ側の両端部には、一対の可撓性係合片６が一体に突設されている。
【００３４】
該各係合片６は、図３（ａ）、（ｂ）に示すように、各突出端６ａが上記凹部４の接触面４ｂからポール１１の中心Ｃを越えた位置まで延出し、且つ、両突出端６ａの間隔Ｓが上記ポール１１の直径Ｄよりも短く設定され、上記水準器本体２をポール１１に取り付けた状態でポール１１の外周面に圧接するようになっている。
【００３５】
上記気泡管３は、横方向に長い円筒体であり、該円筒体の内部に気泡Ｂを有するように液体が密封されて構成されている。
【００３６】
上記２つの気泡管３は、上記直交面部５から側方に膨出するように上記各取付穴５ａにそれぞれ取り付けられ、上記水準器本体２を上記ポール１１に取り付けた状態で略同じ高さに位置している。したがって、上記気泡管３が直交面部５から側方に膨出しているので、上記突っ張り型手すり１０を天井Ｃｅと床面Ｆとの間に取り付ける作業者は、気泡管３の気泡Ｂを真横からだけでなく、斜め上側からや斜め下側からも見ることができ、使い勝手がよい。また、目線の高さを変えることなく２つの気泡管３を同時に見ることができ、使い勝手がさらによくなる。
【００３７】
次に、水準器１の手すり１０への取り付けについて説明する。
【００３８】
まず、図３（ａ）に示すように、水準器本体２の凹部４における開口４ａを手すり１０のポール１１に対応させて水準器１をポール１１側に押し込む。
【００３９】
すると、各係合片６がポール１１の外周面に摺接しつつ互いに離れる方向に撓み変形し、各係合片６の突出端６ａがポール１１の中心Ｃを越えるまで押し込まれると、図３（ｂ）に示すように、互いに接近する方向に復元してポール１１の外周面を圧接するようになる。したがって、ポール１１に向かって押し込むだけで水準器１を手すり１０に簡易に取り付けることができ、しかも各係合片６でポール１１を圧接して挟み込んでいるので、水準器１のポール１１への取り付けを安定させることができる。
【００４０】
次に、水準器１の手すり１０からの取り外しについて説明する。
【００４１】
まず、図３（ｂ）の状態から、手すり１０に取り付けられた状態の水準器１をポール１１の径方向外側に引っ張ると、各係合片６がポール１１の外周面に摺接しつつ互いに離れる方向に撓み変形し、各係合片６の突出端６ａがポール１１の中心Ｃを越えると、図３（ａ）に示すように、互いに接近する方向に撓み変形して元の状態に復元するとともに、上記ポール１１が上記凹部４の開口４ａから抜け出る。したがって、ポール１１に取り付けられた水準器１を引っ張るだけで当該水準器１を簡単にポール１１から取り外すことができる。
【００４２】
次に、手すり１０に取り付けられた水準器１の高さ調整について説明する。
【００４３】
上述の手順にて手すり１０に取り付けられた水準器１の高さが作業者の目線と大きく異なっているような場合において、作業者は、当該作業者の目線に合うように上記水準器１をポール１１に対して上下方向にスライドさせる。
【００４４】
すると、各係合片６が互いに開き気味に撓んで各係合片６とポール１１の外周面との間の摩擦抵抗が減り、目的の位置まで水準器１をスライドさせると、各係合片６でポール１１を圧接して挟み込むので、水準器１を目的の高さまで簡易にスライドさせることができ、且つ、スライドさせた箇所において水準器１の取り付けを安定させることができ、使い勝手がよい。
【００４５】
尚、本考案の実施形態では、係合片６を上記凹部４における開口４ａ側両端部に一体に設けているが、別体としてもよく、可撓性を有するのであれば、他の材質を用いて形成してもよい。
【００４６】
また、本考案では、気泡管３が円筒体をなしているが、手すり１０の傾きを調べることが可能であれば、他の形状の気泡管３を用いてもよい。
【００４７】
さらに、本考案では、手すり１０の使用時において、水準器１を手すり１０に取り付けた状態で固定具１２と共に樹脂製カバー１８で覆って使用しているが、水準器１を常に手すり１０に取り付けておく必要はなく、手すり１０の傾きを調べるときにだけ当該手すり１０に水準器１を取り付けるようにしてもよい。
【００４８】
それに加えて、本考案では、水準器１及び固定具１２を樹脂製カバー１８で覆うようになっているが、これに限らず、例えば、布製カバーで覆うようにしてもよい。
【産業上の利用可能性】
【００４９】
本考案は、突っ張り型手すりを天井と床面との間に取り付ける際に、当該手すりが垂直に延びた状態で取り付けられているか否かを調べる水準器に適している。
【符号の説明】
【００５０】
１        水準器
２        水準器本体
３        気泡管
４        凹部
４ａ        開口
４ｂ        接触面
５        直交面部
５ａ        取付穴
６        係合片
６ａ        突出端
１０        突っ張り型手すり
１１        ポール
１１ａ        第１ポール
１１ｂ        第２ポール
１２        固定具
Ｂ        気泡
Ｃｅ        天井
Ｆ        床面
Ｓ        各係合片の突出端の間隔
Ｃ        ポールの中心
Ｄ        ポールの直径
【図１】
0003171229.tif 000003
【図２】
0003171229.tif 000004
【図３】
0003171229.tif 000005
【図４】
0003171229.tif 000006
【図５】
0003171229.tif 000007